(57)【特許請求の範囲】
【請求項１】
既設窓枠の上枠及び縦枠に固定した下地材に、新設窓枠に備えたアンカーを固着して新設窓枠を既設窓枠に取付けると共に、新設窓枠の室外側外周部に備えた外部アタッチメントにより、新設窓枠と既設窓枠との間に形成される隙間を覆うようにした改装窓において、新設窓枠の上枠及び縦枠に、枠長手方向に延びる溝部と、室外側に向いた外部アタッチメント取付部とを備えた取付補助枠を夫々取付けると共に、外部アタッチメントを外部アタッチメント取付部に予め固着し、その取付補助枠の溝部に枠長手方向に摺動自在に装着したアンカーを介して新設窓枠を既設窓枠に配置固定したことを特徴とする改装窓。
【請求項２】
新設窓枠の上枠及び縦枠には、対向する既設窓枠側に、互いに室内外方向に対向する突片が向かい合っており、取付補助枠に形成した嵌め込み溝を前記突片に嵌め込んで取付補助枠を新設窓枠の上枠及び縦枠に取付け、それらの取付補助枠には、新設窓枠の対応した上枠及び縦枠への取付状態において、前記外部アタッチメント取付部を、新設窓枠室外面より室外側に突出する位置に設け、また、溝部は、外部アタッチメント取付部から室内側に離れて形成されていることを特徴とする請求項１記載の改装窓。
【請求項３】
外部アタッチメント取付部は、新設窓枠の、対応した上枠及び縦枠の室外面に沿い、対応する既設窓枠側に延びる取付面を有していることを特徴とする請求項２記載の改装窓。
【発明の詳細な説明】
【０００１】
【発明の属する技術分野】
本発明は、改装窓に係り、特に建造物に残された既設窓枠に新設窓枠を取付けて構成される改装窓に関する。
【０００２】
【従来の技術】
従来、建造物に残された既設窓枠の内側に、枠組みされた新設窓枠を取付けて構成される改装窓では、新設窓枠の取付構造として、既設窓枠の上枠及び縦枠に固定した下地材に、新設窓枠に備えたアンカーを固着して新設窓枠を既設窓枠に取付けているものが知られている。そして、新設窓枠を既設窓枠の内側に取付けると、建造物と新設窓枠との間に隙間が形成されるので、新設窓枠の室外側外周部に外部アタッチメントを備え、新設窓枠と既設窓枠との間に形成される隙間を覆っている（特開平９−１３７９７号）。
【０００３】
【発明が解決しようとする課題】
しかし、上記従来の改装窓における新設窓枠の取付構造では、外部アタッチメントを新設窓枠に備えたアンカーに固定するという構造であるために、新設窓枠に外部アタッチメントを予め固着した状態で、既設窓枠に取付けようとすると、既設窓枠に固定してある下地材に対して新設窓枠に備えたアンカーを移動させてその取付位置を調整することができず、新設窓枠を既設窓枠に取付けることができないおそれがあった。そこで、本発明の課題は、予め外部アタッチメントを取付けた新設窓枠を簡単に既設窓枠に取付けることのできる改装窓を提供することにある。
【０００４】
【課題を解決するための手段】
上記課題解決のため本願は、既設窓枠の上枠及び縦枠に固定した下地材に、新設窓枠に備えたアンカーを固着して新設窓枠を既設窓枠に取付けると共に、新設窓枠の室外側外周部に備えた外部アタッチメントにより、新設窓枠と既設窓枠との間に形成される隙間を覆うようにした改装窓において、新設窓枠の上枠及び縦枠に、枠長手方向に延びる溝部と、室外側に向いた外部アタッチメント取付部とを備えた取付補助枠を夫々取付けると共に、外部アタッチメントを外部アタッチメント取付部に予め固着し、その取付補助枠の溝部に枠長手方向に摺動自在に装着したアンカーを介して新設窓枠を既設窓枠に配置固定した。
【０００５】
具体的に、新設窓枠の上枠及び縦枠には、対向する既設窓枠側に、互いに室内外方向に対向する突片が向かい合っており、取付補助枠に形成した嵌め込み溝を前記突片に嵌め込んで取付補助枠を新設窓枠の上枠及び縦枠に取付け、それらの取付補助枠には、新設窓枠の対応した上枠及び縦枠への取付状態において、前記外部アタッチメント取付部を、新設窓枠室外面より室外側に突出する位置に設け、また、溝部は、外部アタッチメント取付部から室内側に離れて形成した。前記外部アタッチメント取付部は、新設窓枠の、対応した上枠及び縦枠の室外面に沿い、対応する既設窓枠側に延びる取付面を有している。
【０００６】
【発明の実施の形態】
実施の形態について図面を参照して説明する。図１〜３において、改装窓１は、既設窓枠２の内側に新設窓枠３を取付けて構成されたものである。既設窓枠２は、スチール又はアルミ材から成る上枠２ａ、対の縦枠２ｂ、下枠２ｃとを枠組みして構成されたもので、建造物４に除去されることなく残されたものである。その既設窓枠２の上枠２ａ及び縦枠２ｂには複数の下地材５がねじ部材２０を介して固定してある。各下地材５は、上枠２ａ及び縦枠２ｂの内周面に固定された固定部５ａの一端を対向する新設窓枠４に向かって折り曲げ、その一端にアンカー取付孔５ｂを備えたものである。また、既設窓枠２の下枠２ｃには、既設窓枠２の下枠２ｃに沿って下枠用下地材６が配置してある。その下枠用下地材６は、下枠用下地材６の室内側に載置した断面Ｌ字の連結部材７を介して既設窓枠２の下枠２ｃに固定されている。
【０００７】
上記既設窓枠２の内側に取付ける新設窓枠３は、アルミ材から成る上枠３ａ、対の縦枠３ｂ、下枠３ｃとを枠組みして構成されたものである。新設窓枠３の上枠３ａ及び縦枠３ｂには、対向する既設窓枠２側に、互いに室内外方向に対向する突片３ａ１，３ｂ１が向かい合っており、後述する取付補助枠８に形成した嵌め込み溝８ａを前記突片３ａ１，３ｂ１に嵌め込んで取付補助枠８が取付けてある。取付補助枠８には、枠長手方向に延びる溝部８ｂと、室外側に向いた外部アタッチメント取付部８ｃとが備えてある。外部アタッチメント取付部８ｃは、取付補助枠８が新設窓枠３の上枠３ａ及び縦枠３ｂへの取付状態において、新設窓枠３室外面３ｄより室外側に突出する位置に設けられ、新設窓枠３の、対応した上枠３ａ及び縦枠３ｂの室外面３ｄに沿い、対応する既設窓枠２側に延びる取付面８ｄを有している。また、溝部８ｂは、外部アタッチメント取付部８ｃから室内側に離れて形成されている。
【０００８】
外部アタッチメント取付部８ｃには、建造物４と新設窓枠３との間に形成される隙間Ｓを覆う外部アタッチメント９が気密材１０を備えた状態でねじ部材１１を介して取付けてある。溝部８ｂには、既設窓枠２に固定した下地材５に固着させるアンカー１２が摺動自在に装着してある。アンカー１２にはねじ孔１２ａが設けてあり、そのねじ孔１２ａを下地材５に備えたアンカー取付孔５ｂに重合させ、室内側からアンカー取付孔５ｂを挿通したねじ部材１３をアンカー１２のねじ孔１２ａに締め込み、更に、新設窓枠３の下枠３ｃを下枠用下地材６に固定した連結部材７にねじ部材１４を介して固定することで、新設窓枠３は既設窓枠２に取付けられている。尚、本実施形態では、外部アタッチメント９、下地材５等をねじ部材１１、２０で固定しているが、リベットによるリベット継手方法において固定させてもよい。
【０００９】
次に、新設窓枠３を既設窓枠２に取付ける施工作業について説明する。新設窓枠３の上枠３ａ及び縦枠３ｂには、予めアンカー１２と外部アタッチメント９とを備えた取付補助枠８が取付けてある。この新設窓枠３を室外側から既設窓枠２の内側に配置する。そして、新設窓枠３の室内外方向の出入り量を調整した後、新設窓枠３の下枠３ｃを下枠用下地材６に固定した連結部材７にねじ部材１４で固定する。次に、新設窓枠３の上枠３ａ及び縦枠３ｂにおいて、枠長手方向に摺動自在なアンカー１２を図３に示すように移動させて、既設窓枠２に固定した下地材５のアンカー取付孔５ｂにアンカー１２のねじ孔１２ａを重合させる。その状態で、室内側からアンカー取付孔５ｂを挿通したねじ部材１３をアンカー１２のねじ孔１２ａに締め込んで、新設窓枠３が既設窓枠２の内側に配置固定される。
【００１０】
上記のように新設窓枠３が既設窓枠２の内側に取付けられた後、室内側から内部額縁１５を、室外側から水切り１６を夫々新設窓枠３に取付ける。そして、外部アタッチメント９、内部額縁１５、水切り１６の周囲にバックアップ材及びシーリング材から成る充填材１７を充填してコーキングを行う。こうして既設窓枠２に新設窓枠３が取付けられた改装窓１が構成される。
【００１１】
以上のことにより、新設窓枠３の上枠３ａ及び縦枠３ｂに外部アタッチメント９とアンカー１２とを備えた取付補助枠８を取付け、アンカー１２を取付補助枠８の枠長手方向に摺動自在としたことで、従来のように既設窓枠２の上枠２ａ及び縦枠２ｂに固定される下地材５の位置に影響されることなく、アンカー１２を枠長手方向に移動させることで、簡単に外部アタッチメント９を備えた新設窓枠３を既設窓枠２に取付けることが可能になる。また、外部アタッチメント９を工場等で予め新設窓枠３に取付けておくことができるので、施工現場での外部アタッチメント９取付作業がなく作業の効率が良くなる。
【００１２】
【発明の効果】
以上のように本発明は、新設窓枠の上枠及び縦枠に取付補助枠を取付け、その取付補助枠には、外部アタッチメントが予め固着してあると共に、アンカーが枠長手方向に摺動自在に装着されているので、予めアタッチメントを新設窓枠に備えておいても、既設窓枠に固定した下地材にアンカーを固着させることができ、新設窓枠を既設窓枠に取付ける施工作業性が向上する。
【図面の簡単な説明】
【図１】本発明の改装窓における新設窓枠及び新設窓枠の取付構造を示す縦断面図である。
【図２】本発明の改装窓における新設窓枠及び新設窓枠の取付構造を示す横断面図である。
【図３】図１のＩＩＩ視図であり、内部額縁を省略した図である。
【符号の説明】
１        改装窓
２        既設窓枠
２ａ      上枠
２ｂ      縦枠
３        新設窓枠
３ａ      上枠
３ｂ      縦枠
５        下地材
８        取付補助枠
８ａ      嵌め込み溝
８ｂ      溝部
８ｃ      外部アタッチメント
８ｄ      取付面
９        外部アタッチメント
１２      アンカー
Ｓ        隙間
【図１】
0004258936.tif 000002
【図２】
0004258936.tif 000003
【図３】
0004258936.tif 000004